(57)【要約】【課題】この考案は、押込み式又はスライド式スイッチを備えたライターを正規に使用する際に、点火スイッチの操作を補助して操作性を向上させるライター点火操作補助具を得ることを課題とするものである。【解決手段】この考案は、押込み式又はスライド式スイッチを備えた式ライターに着脱可能に装着される点火操作補助具であって、断面略Ｕ字状に形成され、ライターが嵌挿される開放面１１とライター本体を係止させる係止部２とを備えたフレーム１と、ライター装着時にライターの点火スイッチ上方に配設され点火スイッチ操作を補助する点火操作補助手段４とを備え、前記点火操作補助手段４は、基端が前記フレーム１のライター装着時における着火孔側上端に取付軸３，３を介して回動可能に取り付けられ、他端は自由端として点火スイッチ端縁より突出する長さとし、前記点火操作補助手段４を回動操作して点火スイッチを作動させることができるように構成する。【選択図】図１
0003190654.tif 000002
【実用新案登録請求の範囲】
【請求項１】
押込み式又はスライド式スイッチを備えたライターに着脱可能に装着されるライター点火操作補助具であって、
断面略Ｕ字状に形成され、ライターが嵌挿される開放面とライター本体を係止させる係止部とを備えたフレームと、ライター装着時にライターの点火スイッチ上方に配設され点火スイッチ操作を補助する点火操作補助手段とを備え、
前記点火操作補助手段は、基端が前記フレームのライター装着時における着火孔側上端に取付軸を介して回動可能に取り付けられ、他端は自由端として点火スイッチ端縁より突出する長さとし、
前記点火操作補助手段を回動操作して点火スイッチを作動させることができるようにした、
ライター点火操作補助具。
【請求項２】
係止部はライター底面が載置される面を備えるものとした、請求項１記載のライター点火操作補助具。
【考案の詳細な説明】
【技術分野】
【０００１】
この考案は、押込み式又はスライド式スイッチを備えたライターに装着して使用するライター点火操作補助具に関するものである。
【背景技術】
【０００２】
ピエゾ式ライターは圧電素子を利用して着火する方式のライターであり、点火スイッチを押した際の衝撃によって放電を起こし、これを燃料ガスに引火させて着火するものであるが、このピエゾ式ライターの点火スイッチには、真下に押し込む方式の押込み式点火スイッチと、回転軸を備え点火スイッチを斜め下方にスライドさせる方式のスライド式点火スイッチとがある。
このピエゾ式ライターは、点火スイッチを押し込む（又は、スライドさせる）だけで着火できることから、子供でも容易に着火操作が可能である。そのため、子供が興味本位でライターを操作して着火したり、あるいは誤操作して着火してしまうおそれがあり、重大な事故につながる危険性があった。
【０００３】
このような子供による操作や誤操作を防止するために、点火スイッチにロック機構を備えたピエゾ式ライターも従来より存在するが、ロック機構がライター自体に設けられているために、子供がライターをいじっているうちにロック機構が解除されてしまったり、あるいは使用者がライター使用後にロックすることを忘れてしまうこともあるため、必ずしも従来のロック機構では安全性が担保されていなかった。
【特許文献１】特開２００４−２００２２号公報
【０００４】
他方、子供の力では点火操作ができないようにするために、点火スイッチ自体を改良し、従来よりも強い力でなければ点火スイッチの操作ができないようにしたピエゾ式ライターも開発されている。
この方式は、点火スイッチとは別個にロック機構をライターに設けて点火スイッチをロックするものではなく、点火スイッチの操作に要求される操作力を大きなものとし（押しボタン式たばこライターでは押し込み力４２Ｎ（ニュートン）以上、スライド式たばこライターでは回転力２０Ｎ以上。１Ｎは０．１０１９７ｋｇｆ（重量キログラム）である。）、子供の力では操作できないようにしてあるので、従来のロック機構のように子供が誤ってロックを解除し、点火スイッチを操作してしまうおそれがない。この方式の点火スイッチを加重式点火スイッチという。
【非特許文献１】「ＪＩＳ  Ｓ  ４８０３：２０１０  たばこライター及び多目的ライター−操作力による幼児対策（チャイルドレジスタンス機能）安全仕様」  ｐ．４
【０００５】
しかしながら、この加重式点火スイッチを採用したピエゾ式ライターにあっては、当然のことながら、点火スイッチを操作する際には従来よりも強い力を加えなければならないため、大人が安全かつ適切にライターを使用する場合であっても強い力が必要となり、操作性が従来のものよりも悪いという問題がある。特に、握力の弱い女性や高齢者にとってこの操作性の悪さは顕著である。
また、製造現場においては、製造されたライターがきちんと点火するか否かを確認するための検品作業が必要となるところ、作業者は検品を行うにあたって操作性の悪い点火スイッチを操作しなければならず、作業効率が悪いばかりか、作業者が腱鞘炎を起こしてしまうなど作業者に肉体的負担を強いるものとなっている。
【０００６】
他方、２０１１年９月２７日以降に国内で販売されるライターにあっては、消費生活用製品安全法に基づき、国の定める技術基準に適合したものでなければならないが、加重式点火スイッチを採用した場合には上記の操作力が要求されており、これを満たさないものは販売することができない。
【考案の開示】
【考案が解決しようとする課題】
【０００７】
この考案は、押込み式又はスライド式スイッチを備えたライターを正規に使用する際に、点火スイッチの操作を補助して操作性を向上させるライター点火操作補助具を得ることを課題とするものである。
【課題を解決するための手段】
【０００８】
この考案のライター点火操作補助具は、押込み式又はスライド式スイッチを備えたライターに着脱可能に装着される点火操作補助具であって、断面略Ｕ字状に形成され、ライターが嵌挿される開放面とライター本体を係止させる係止部とを備えたフレームと、ライター装着時にライターの点火スイッチ上方に配設され点火スイッチ操作を補助する点火操作補助手段とを備え、前記点火操作補助手段は、基端が前記フレームのライター装着時における着火孔側上端に取付軸を介して回動可能に取り付けられ、他端は自由端として点火スイッチ端縁より突出する長さとし、前記点火操作補助手段を回動操作して点火スイッチを作動させることができるように構成されている。
【０００９】
前記係止部は、ライター装着時にライター本体を係止させ、点火操作時にライター本体の動きを拘束できる構成のものであればよく、例えば、ライター本体側面に凹部を設けておき、この凹部に係止可能な係止爪としたり、ライター本体底面を載置する面を備えたものとすることもできる（請求項２）。
【００１０】
前記点火操作補助手段は、ライター装着時にライターの点火スイッチ上方に配設されるものであって、基端が前記フレームのライター装着時における着火孔側上端に取付軸を介して回動可能に取り付けられ、他端は自由端として点火スイッチ端縁より突出する長さとし、これを回動操作して点火スイッチを作動させることができるものであればよく、例えば板状あるいは棒状に形成することが考えられるが、その形状はこれらに限られるものではない。
【考案の効果】
【００１１】
この考案によれば、断面略Ｕ字状に形成され、ライターが嵌挿される開放面とライター本体を係止させる係止部とを備えたフレームに、ライター装着時に点火スイッチ上方に配設され点火スイッチ操作を補助する点火操作補助手段を取り付け、この点火操作補助手段は、基端が前記フレームのライター装着時における着火孔側上端に取付軸を介して回動可能に取り付け、他端は自由端として点火スイッチ端縁より突出する長さとし、これを回動操作して点火スイッチを作動させることができるものとしてあるので、ライターを装着した状態で点火操作補助手段の自由端側を押下してこれを回動させると、押下部と取付軸との間で点火スイッチに力が加えられることとなる。すなわち、力点となる押下部と支点となる取付軸との間において点火スイッチに操作力が加わる作用点を構成することができるので、第２種てこの作用を利用して、直接点火スイッチを操作する場合よりも小さな力でこれを操作することができる。
【００１２】
また、請求項２の考案によれば、係止部にはライター底面が載置される面が設けられているので、ライターを装着して点火操作補助手段を回動操作した時、点火スイッチの操作に伴ってライターに加わる下方向への力を係止部のライター載置面で安定して受け止めることができ、より安定した状態で点火スイッチに操作力を加えることができる。
【図面の簡単な説明】
【００１３】
【図１】この考案の第１の実施例の概要を示す図
【図２】同じく使用状態を示す図
【図３】この考案の第２の実施例の概要を示す図
【図４】同じく使用状態を示す図
【図５】この考案の第３の実施例の概要を示す図
【考案を実施するための形態】
【００１４】
図１は、この考案の第１の実施例、すなわち、押しボタン式たばこライターに装着して使用されるライター点火操作補助具の概要を示す図である。
ライター点火操作補助具のフレーム１は、装着されるライターの点火スイッチ下方のボディ部（燃料容器部）を嵌挿することができるようライターのボディ部の高さとほぼ同じ高さの断面略Ｕ字状に形成され、ライターが嵌挿される開放面１１を備えている。
このフレーム１の下端には、ライターを係止するための係止部２が設けられている。この係止部２は、ライター底面が載置される略偏平楕円形状の載置面２１を備え、この載置面２１からはライターの水平方向の動きを拘束する断面略Ｕ字状のガード２２が立ち上がるようにして形成されている。
また、フレーム１上端の開放面１１側はそれぞれ上方にやや延設されており、この延設部１２，１２には取付軸３，３を介してフレーム１上端を覆うようにして点火操作補助手段としての点火操作補助片４が回動可能に取り付けられている。
この点火操作補助片４は、装着されるライターの点火スイッチの着火孔側とは反対側の端縁よりも突出し、かつ、点火スイッチ上面よりも大きい面を備えた片としてある。
上記したフレーム１、係止部２、取付軸３、点火操作補助片４は何れも硬質の合成樹脂で構成されている。
【００１５】
図２は、この考案のライター点火操作補助具の使用状態を示す図であり、図２（ａ）は押しボタン式たばこライターの装着状態を、図２（ｂ）は点火操作状態をそれぞれ示す図である。
押しボタン式たばこライターＬは、点火スイッチＳ側がフレーム１側になるようにして開口面１１からフレーム１に嵌挿され、ライターＬの下部が係止部２のガード２２内に収まるようにして載置面２１に載置される。このとき、ライターＬのボディＢはフレーム１の内面に沿うようにしてフレーム１に嵌挿され、フレーム１の上端はボディ部Ｂの上端とほぼ同じ高さとなるようにしてある。
そして、取付軸３，３を介してフレーム１の延設部１２に回動可能に取り付けられた点火操作補助片４は、点火スイッチＳの上方に位置するようになっている。
点火操作補助片４は、ライターＬへの装着状態において、その自由端側が点火スイッチＳの端縁よりも突出する大きさとしてあり、点火操作補助片４裏面の中央よりやや着火孔側に点火スイッチＳの上面と当接する当接部としての凸条４１を備えている。なお、この凸条は省略することもできる。すなわち、点火操作補助片４を回動操作したときに、点火操作補助片４裏面の何れかの部分が点火スイッチＳ上面と当接して点火操作することができればよいのであって、当接部が凸条として形成されている必要ない。
【００１６】
点火操作をする場合、点火操作補助片４の自由端側を押下する。そうすると、取付軸３を回転軸として点火操作補助片４が回動し、点火スイッチＳが下方に押し込まれる。このとき、ライターＬの下部は係止部２によって拘束されているので、ライターＬの底面が係止部２の載置面２１に押し付けられることとなり、点火スイッチＳに加えられる下向きの力が逃げてしまったり、ライターＬがフレーム１から外れてしまうことはない。
そして、点火操作補助片４の自由端側の押下部を力点、点火操作補助片４の回転軸となる取付軸３を支点として、押下部（力点）と取付軸３（支点）との間に位置する当接部である凸条４１において点火スイッチＳに操作力が加えられることとなるので、第２種てこの原理が働き、ライターＬの点火スイッチＳを直接操作するときよりも小さな力でこれを操作することができる。
他方、ライター使用時以外は、このライター点火操作補助具をライターから取り外しておくことにより、チャイルドレジスタンスを有効に機能させることができる。
【００１７】
図３は、考案の第２の実施例、すなわち、スライド式たばこライターＬに装着して使用されるライター点火操作補助具の概要を示す図である。
スライド式たばこライター用のライター点火操作補助具にあっては、フレーム１の上部形状をスライド式点火スイッチＳのスライド範囲に合わせた形状とし、点火操作補助片４の裏側に凸条が形成されていない点以外はほぼ実施例１と同じ構成である。
すなわち、スライド式たばこライターＬは、点火スイッチＳを着火孔とは反対側の下方に向けて弧を描くボディＢ上縁に沿うようにスライドさせて操作するところ、フレーム１の上部には点火スイッチＳをスライドさせるためのスペースを確保しておく必要がある。そのため、フレーム１の上縁は、点火スイッチＳを完全にスライドさせた状態において点火スイッチＳの最下部が来る位置よりも下方に位置するようにしてある。このため、この実施例において、フレーム１上端の開放面１１側の延設部１２は大きく上方に延設されている。
また、点火操作補助片４の裏側は、点火スイッチＳ上面と面接触できるようにフラットな面として形成してあるので、この実施例における点火スイッチ上面と点火操作補助片裏面との当接部は当接面として構成されている。
【００１８】
図４は、スライド式たばこライター用のライター点火操作補助具の使用状態を示す図であり、図４（ａ）はライターの装着状態を、図４（ｂ）は点火操作状態をそれぞれ示す図である。
フレーム１へのライターＬの装着方法は実施例１と同様であり、ライター装着時において点火操作補助片４の自由端側が点火スイッチＳの操作方向側端縁よりも突出する大きさに形成されている点も実施例１と同様である。
【００１９】
ライターＬを装着した状態で点火操作補助片４の自由端側を押下すると、取付軸３を回転軸として点火操作補助片４が回動し、これに伴いフラットな面で構成された点火操作補助片４裏面を点火スイッチＳの上面に当接させて、点火スイッチＳを斜め下方にスライドさせることができる。このとき、ライターＬの下部は係止部２によって拘束されているので、点火スイッチＳに加えられる下向きの力が逃げたり、ライターＬがフレーム１から外れることもない。
そして、点火操作補助片４の開放端側の押下部を力点、取付軸３を支点として、押下部（力点）と取付軸３（支点）との間に位置する当接部４１において点火スイッチＳに操作力が加わるので、第２種てこの原理が働くこととなり、ライターＬの点火スイッチＳを直接操作するときよりも小さな力でこれを操作することができる。
【００２０】
図５は係止部２を別の態様のものとした実施例を示す図である。
すなわち、係止部２は上記実施例のように載置面を備えていることは必須ではなく、ライターＬのボディＢに水平方向の溝Ｍを設け、この溝Ｍに嵌合可能な内向きの凸部２３をフレーム１の下部に形成して係止部２を構成してある。その他の構成は実施例１と同様である。
この実施例を用いてライターの点火操作を行う場合、点火操作補助片４の自由端側を押下して点火スイッチＳを下方に押し込むと、ライターＬには点火スイッチＳを介して下向きの力が加わり、溝Ｍに嵌合された係止凸部２３にライターＬが押し付けられることとなるので、点火スイッチＳに加えられる下向きの力が逃げたり、ライターＬがフレーム１から外れてしまうことがない。
【産業上の利用可能性】
【００２１】
この考案は、押込み式又はスライド式スイッチを備えたライターを適切に使用する際に、点火スイッチの操作を補助して操作性を向上させることができるライター点火操作補助具に関するものであり、産業上の利用可能性を有するものである。
【符号の説明】
【００２２】
１    フレーム
１１  開放面
１２  延設部
２    係止部
２１  載置面
２２  ガード
２３  凸部
３    取付軸
４    点火操作補助片
４１  当接部
Ｌ    ライター
Ｓ    点火スイッチ
Ｂ    ボディ
Ｍ    溝
【図１】
0003190654.tif 000003
【図２】
0003190654.tif 000004
【図３】
0003190654.tif 000005
【図４】
0003190654.tif 000006
【図５】
0003190654.tif 000007